(57)【要約】【課題】停電回復時に感光材料を無駄にすることなく、露光処理を円滑に再開することのできる露光処理装置を提供する。【解決手段】ロール状にされた感光材料を装填する装填マガジンと、搬送される感光材料に対して露光処理を行う露光処理部と、露光処理された感光材料を巻き取る巻取マガジンと、感光材料を切断する切断装置と、これらを制御する制御手段と、非常用電源とを備え、装填マガジンは感光材料を巻取り可能に構成され、制御手段は露光処理部での露光処理の処理パターンが複数設定されて、停電前の露光処理状況に基づいて複数の処理パターンから一つの処理パターンが選択可能に設定され、非常用電源からの給電で、処理パターンの実行と、感光材料を切断する切断処理と、切断された感光材料を装填マガジン及び巻取マガジンで巻き取る巻取処理とを行うようにした。【選択図】          図１
2004348084.tif 000002
【特許請求の範囲】
【請求項１】
ロール状にされた長尺な感光材料を装填する装填マガジンと、該装填マガジンから引き出されて搬送される感光材料に対して複数の画像についての露光処理を行う露光処理部と、露光処理された感光材料をロール状に巻き取る巻取マガジンと、感光材料を搬送方向の上流側と下流側に切断する切断装置と、これらを制御する制御手段と、停電時に給電する非常用電源とを備えた露光処理装置において、前記装填マガジンは、感光材料を巻取り可能に構成され、制御手段は、露光処理部での露光処理の処理パターンが複数設定されるとともに、停電前の露光処理状況に基づいて前記複数の処理パターンから一つの処理パターンが選択可能に設定され、停電時に非常用電源からの給電で、選択された処理パターンの実行と、切断手段で感光材料を切断する切断処理と、切断された感光材料を装填マガジン、及び巻取マガジンで巻き取る巻取処理とを行うようにしたことを特徴する露光処理装置。
【発明の詳細な説明】
【０００１】
【発明の属する技術分野】
本発明は、複数の画像について長尺な感光材料に対して連続的に露光処理を施すように構成された露光処理装置に関する。
【０００２】
【従来の技術】
従来から露光処理装置として、ロール状にされた長尺な感光材料を装填する装填マガジンと、該装填マガジンから引き出されて搬送される感光材料に露光処理を施す露光処理部と、露光処理された感光材料を巻き取る巻取マガジンと、停電時に給電すべく、所定の電気容量を蓄電する非常用電源と、装填マガジンから引き出した感光材料を切断する切断装置と、これらを制御する制御装置とを備えたものがある。
【０００３】
かかる露光処理装置は、大量処理を要求する大型の写真処理店やラボ工場等で採用される大型の装置であり、複数枚の画像を一組（１オーダー）として複数のオーダーを受け付け、該受け付けた複数のオーダー（大量の画像）について連続的に感光材料を露光処理できるものである。すなわち、かかる露光処理装置は、装填マガジンから引き出した感光材料を切断することなく、露光処理部が大量の画像データを基に感光材料に連続的に露光処理を施し、さらに処理済の感光材料を巻取マガジンでロール状に巻き取るようにして、露光処理をバッチ処理的に行うようにしたものである。なお、該巻取マガジンで巻き取ったロール状の感光材料は、別途設置された現像処理装置で連続的に現像処理されてプリントされる。
【０００４】
上記露光処理装置に切断装置が設けられているのは、主として、後続のオーダーの露光処理を待ってからすべての感光材料を現像すると、顧客から要求された仕上げ時期（納品）が遅れる場合に、先に受け付けたオーダーについての露光処理を行い、先のオーダーと後続のオーダーとの境を切断し、先のオーダーについての感光材料を先に現像処理できるようにするためである。
【０００５】
また、非常用電源は、一次電源からの給電が停止（停電）した際に、感光材料に対する露光処理や搬送等の処理を停止させずに続行させるために設けられたものである。
【０００６】
【発明が解決しようとする課題】
しかしながら、非常用電源は所定の電気容量しかないため、停電が長時間になると、露光処理を行っている最中であるにもかかわらず、各処理による電力消費によって非常用電源からの給電が尽きてしまうことがある。
【０００７】
そうすると、制御装置を正常に終了させることができないため、停電回復時には、これまで行っていた処理に関する情報が抹消された状態となっており、オペレーターが停電前に行った処理時間などから換算して、停電した際に処理をしていた画像（オーダー）がどれであったかを判断し、露光処理を再開する画像を特定することになる。
【０００８】
ところが、処理時間等からの換算だけを信用すると、未処理画像が発生する場合があるため、換算により判断した画像よりも数枚前の画像、或いは安全サイドを考慮して処理していたオーダーの最初の画像から露光処理されるのが一般的である。
【０００９】
そうすると、最終的に同一の画像が重複してプリントされてしまうので、感光材料の無駄が発生するといった問題があった。
【００１０】
また、装填マガジン、露光処理部、巻取マガジンの間での感光材料の搬送は、複数のローラ対等で行われるのが一般的であり、上述の如く長時間停電すると、感光材料はローラ対に圧着された状態で長期に亘って放置されてしまうため、感光材料に変質が生じたり、圧着痕がついたりしてしまう。そうすると、露光処理済みの感光材料においては露光処理された面が痛んで良好な画像を得ることができず、また、露光処理前の感光材料においては圧着痕によって適正な露光処理を行うことができない状態となってしまう。
【００１１】
したがって、停電回復時には、装填マガジン、露光処理部、巻取マガジン間の搬送経路に介在した感光材料を除去してから、露光処理を再開しなければならず、感光材料を無駄に消費してしまうといった問題があった。
【００１２】
そこで、本発明は、かかる実情に鑑み、停電回復時に感光材料を無駄にすることなく、露光処理を円滑に再開することのできる露光処理装置を提供することを課題とする。
【００１３】
【課題を解決するための手段】
本発明にかかる露光処理装置は、上記課題を解決すべくなされたものであり、請求項１記載の如く、ロール状にされた長尺な感光材料を装填する装填マガジンと、該装填マガジンから引き出されて搬送される感光材料に対して複数の画像についての露光処理を行う露光処理部と、露光処理された感光材料をロール状に巻き取る巻取マガジンと、感光材料を搬送方向の上流側と下流側に切断する切断装置と、これらを制御する制御手段と、停電時に給電する非常用電源とを備えた露光処理装置において、前記装填マガジンは、感光材料を巻取り可能に構成され、制御手段は、露光処理部での露光処理の処理パターンが複数設定されるとともに、停電前の露光処理状況に基づいて前記複数の処理パターンから一つの処理パターンが選択可能に設定され、停電時に非常用電源からの給電で、選択された処理パターンの実行と、切断手段で感光材料を切断する切断処理と、切断された感光材料を装填マガジン、及び巻取マガジンで巻き取る巻取処理とを行うようにしたことを特徴する。
【００１４】
なお、ここで「露光処理の処理パターン」とは、停電が発生してから予め設定した終了基準（例えば、終了時間や、終了するまでの画像の処理枚数等）までの露光処理形態をいう。したがって、複数の処理パターンのそれぞれは、露光処理の終了基準を異にしており、例えば、所定枚数の画像の露光処理を一組（一オーダー）として、複数組（複数オーダー）の露光処理を行う場合に、一枚の画像を完全に露光処理してから処理を終了させる露光処理形態と、現に露光処理の対象となっているオーダーの全画像についての露光処理を完全に終了させる露光処理形態等を処理パターンとして採用することができる。
【００１５】
また、「停電前の露光処理状況に基づいて」とは、前記処理パターンの選択の基準として、停電前の処理状況を情報として参照するという意味であり、基準となる情報（処理状況）としては、例えば、停電直前に露光処理を行っていた画像についての露光処理の処理位置の情報や、複数オーダーの露光処理を行う場合には、停電直前に露光処理の対象となっていた画像が、オーダーの最初の画像から何枚目の画像であるといった情報、オーダー内の未処理画像の残り何枚の情報等を採用することができる。
【００１６】
上記構成の露光処理装置によれば、制御手段は、露光処理部での露光処理の処理パターンが複数設定されるとともに、停電前の露光処理状況に基づいて前記複数の処理パターンから一つの処理パターンが選択可能に設定されているので、停電発生時に複数の処理パターンから、停電前の処理状況に応じて一つの処理パターンが選択されることになる。なお、該処理パターンの選択は、自動、手動の何れによる選択であってもよく、停電前の処理状況から見て最適な処理パターンを自動的に選択したり、停電前の処理状況をオペレータに報知し、該報知情報に基づいてオペレータが手動で処理パターンを選択したりすることが可能である。
【００１７】
そして、該露光処理装置は、停電時に非常用電源からの給電で処理パターンを実行するので、非常用電源からの給電が尽きるまでに、停電回復時での処理再開を円滑に行うことのできる状態（きりのよいところまで処理した状態）になる。つまり、露光処理の終了基準を異にした処理パターンが複数設定され、該複数の処理パターンから停電前の処理状況に基づいて一の処理パターンを選択して実行するようになっているので、停電直前の処理状況を考慮して作業再開に最適な処理パターンで露光処理を完了させ、装置全体を正常に終了（シャットダウン）させることができる。
【００１８】
これにより、停電が回復して露光処理を再開する際には、停電前の処理状況に付いての情報が保持されていることになり、再開される露光処理は、保持された情報に基づいて既に露光処理の完了した画像を含むことなく次の画像から開始することができる。したがって、同一の画像について重複した露光処理を行うことがなく、感光材料の無駄の発生を防止することができる。
【００１９】
なお、処理パターンは、切断処理を行う前に実行させる他に、切断装置の配置（露光処理部及び切断装置の配置関係）、及び停電発生時の露光処理状況によっては、切断装置で感光材料を切断した後、切断した感光材料を巻取マガジンで巻き取る際に実行させることも可能である。つまり、露光処理部と切断装置装置との間に介在する感光材料の長さが、処理パターンを実行し得る長さである場合には、切断処理後に処理パターンを実行させてもよい。
【００２０】
また、選択された処理パターンの実行と同様に、非常用電源からの給電によって、切断手段で感光材料を切断する切断処理と、切断された感光材料を装填マガジン、及び巻取マガジンで巻き取る巻取処理とを行うように構成されているので、停電が長時間続いても、感光材料が装填マガジン、露光処理部、巻取マガジンの間に介在することがないので、感光材料の変質を防止することができる。
【００２１】
また、このように装填マガジン、露光処理部、巻取マガジンの間に感光材料が介在することがないので、各装置間にローラ対等で構成した搬送系を配置しても感光材料に圧着痕がついてしまうといった事態になるのを防止することができる。
【００２２】
したがって、停電が解除されて露光処理を再開するにあたって、装填マガジンに巻き戻した感光材料をそのまま使用することができ、感光材料のロスを抑えることができる。また、露光処理された感光材料についても完全に巻取マガジンに巻き取られているので、それらの全てを現像処理してプリントすることができ、これによっても感光材料のロスを抑えることができる。
【００２３】
【発明の実施の形態】
以下、本発明の一実施形態にかかる露光処理装置について、添付図面を参酌しつつ説明する。
【００２４】
本実施形態にかかる露光処理装置は、ロール状にした長尺な感光材料を引き出し、該感光材料を切断することなく当該感光材料に複数の画像についての露光処理を施し、再度その感光材料をロール状に巻き取るように構成された、いわゆる、ロールｔｏロール・システムであり、大量の画像についての露光処理を連続的に行うのに適した装置である。具体的には、該露光処理装置は、複数の画像で一組をなす顧客単位（１オーダー）を複数受け付けて、複数のオーダー（大量の画像）について長尺な感光材料に連続的に露光処理が可能な装置である。
【００２５】
具体的には、該露光処理装置は、図１に示す如く、ロール状にした長尺な感光材料Ｐを装填する装填マガジン１と、該装填マガジン１から引き出されて搬送される感光材料Ｐに対し、画像データを基に複数の画像についての露光処理を連続的に行う露光処理部２と、該露光処理部２で露光処理された感光材料Ｐをロール状に巻き取る巻取マガジン３と、感光材料Ｐを搬送方向の上流側と下流側とに切断する切断装置４と、これらを制御する制御装置（図示しない）と、停電時に給電する所定の電気容量の非常用電源（図示しない）とを備えている。
【００２６】
該露光処理装置は、各部１，２，３，４間に複数のローラ対５が配設されており、該ローラ対５によって感光材料Ｐを搬送する搬送系が構成されている。さらに、該露光処理装置は、搬送系で搬送される感光材料Ｐに対してオーダー毎、或いはその他情報として目印を付けるポンチ装置６が設けられている。
【００２７】
前記装填マガジン１は、ロール状にした感光材料Ｐをロール軸周りで回転可能に軸支した状態で装填できるように構成されており、通常の露光処理を行う際には、感光材料Ｐを下流側に引き出すことができるようになっている。その一方で、所定の信号（指示）が出された際には、駆動源（図示しない）の駆動により引き出し回転に対して逆回転して、引き出した感光材料Ｐを巻き取るようになっている。
【００２８】
前記露光処理部２は、制御装置で受け付けた画像についての画像データを基に、搬送中の感光材料Ｐにレーザー光を照射することで露光処理を行うように構成された、いわゆるレーザー露光装置である。
【００２９】
前記巻取マガジン３は、露光処理された感光材料Ｐを巻き付ける軸体７を備えており、該軸体７は、駆動源（図示しない）からの駆動を受けて一方向に回転するように構成されている。また、該軸体７は、巻き取った感光材料Ｐを別途用意された現像処理装置で現像処理すべく、着脱可能になっている。
【００３０】
前記切断装置４は、感光材料Ｐの搬送方向と直交する方向に往復駆動可能なカッター８を備えている。該切断装置４は、装填マガジン１と露光処理部２との間に配設され、搬送系で形成した搬送経路上の感光材料Ｐを切断して、搬送方向の上流側（装填マガジン１側）と下流側（巻取マガジン３側）とに分断できるようになっている。
【００３１】
前記制御装置は、ＣＰＵや記憶装置等を備えており、ＣＰＵが記憶装置に記憶したプログラムの実行することにより、装填マガジン１、露光処理部２、巻取マガジン３、切断装置４等を制御するようになっている。なお、記憶装置に記憶された内容や、ＣＰＵと記憶装置とのやりとり、ＣＰＵからの指示等を一括して制御装置での処理として説明する。
【００３２】
該制御装置には、停電時（停電発生時）に露光処理部２での露光処理の処理パターンが複数設定されている。各処理パターンは、露光処理を終了させる終了基準を異にして設定されており、本実施形態における終了基準として、停電発生時から処理可能な画像の処理枚数に設定されている。つまり、各処理パターンは、停電が発生してから異なる枚数の画像について露光処理を行ってから処理を終了させる処理形態となっている。なお、以下の説明において、各処理パターンに設定された画像の枚数を単に設定枚数という。
【００３３】
本実施形態にかかる複数の処理パターンとしては、設定枚数が０枚に設定されて停電が発生した時点で露光処理を終了する処理形態（以下、第一処理パターンという）、設定枚数が１枚に設定されて停電時に露光処理している画像についての露光処理が完了した時点で露光処理を終了する処理形態（以下、第二処理パターンという）、停電時に露光処理している画像の属するオーダーの画像全てについて露光処理を完了した時点で露光処理を終了する処理形態（以下、第三処理パターンという）が設定されている。なお、第三処理パターンの設定枚数は、非常用電源の電気容量（最大蓄電容量）から切断装置４による切断処理、装填マガジン１及び巻取マガジン３による感光材料Ｐの巻取処理を行うための電気容量を差し引いた電気容量で露光処理できる画像の枚数（複数枚）に設定されている。
【００３４】
つまり、各処理パターンは、非常用電源からの電気容量で実行可能な範囲内であって、切断装置４の駆動、及び装填マガジン１、及び巻取マガジン３を駆動させ得る余裕（電気容量）を残して実行し得る範囲内に設定されている。
【００３５】
該制御装置は、停電が発生する前において、露光処理部２での処理状況（何れのオーダーの何枚目の画像で、該画像のどの部分（位置）の処理であるか）を情報（以下、この情報を基本情報という）として随時記憶保持するように構成されており、停電が発生した際に直前に記憶保持された露光処理の処理状況の情報から見て、感光材料Ｐのロス発生を少なくでき、且つ停電が回復して露光処理を再開させ易い処理パターンを複数の処理パターンの中から自動的に選択するようになっている。
【００３６】
具体的には、制御装置は、基本情報として記憶された情報が、各オーダー間で画像の露光処理を行っていないとした情報である場合には、第一処理パターンを選択するように設定されている。そして、基本情報がオーダー間でない場合には、制御装置は、当該基本情報として記憶保持された画像の属するオーダー内の未露光処理の画像が何枚残っているかを算出し、該算出結果と第三処理パターンの設定枚数とを比較し、算出結果が設定枚数以上である場合には、前記第二処理パターンを選択し、算出結果が設定枚数以下である場合に、第三処理パターンを選択するように設定されている。
【００３７】
前記非常用電源は、停電時に備えて所定の電気容量で蓄電するように構成されており、一次電源（通常時の電源）からの給電が何らかの原因で停止して停電した場合に、露光処理に影響ができることなく給電系統が切り替わるようになっている。
【００３８】
前記ポンチ装置６は、搬送経路上の感光材料Ｐの所定部位に目印として穴をあけるポンチ９を備えている。前記穴は、複数のオーダーを連続的に処理するにあたり、オーダーの区切りに開けられ、感光材料Ｐのどの部分でオーダーが変わっているのかを判別すべくあけられるものである。
【００３９】
次に上記構成の露光処理装置での露光処理について説明する。
【００４０】
通常時（一次電源からの給電による処理）においては、装填マガジン１から引き出された感光材料Ｐが搬送系によって露光処理部２に向けて順次搬送され、露光処理部２に到達した感光材料Ｐは、略一定速度で搬送されながら受け付けたオーダーの画像について順次露光処理されるとともに、基本情報となる露光処理状況が順次記憶保持される。そして、露光処理部２で露光処理された感光材料Ｐは、巻取マガジン３の軸体７周りに順次巻き取られることになる。そして、受け付けたオーダーの全て、或いは指定したオーダーについての露光処理が完了すると、切断装置４で感光材料Ｐを切断し、巻取マガジン３に巻き取って一連の作業が終了する。巻取マガジン３に巻き取られた感光材料Ｐは、別途設置された現像処理装置によって現像処理されてプリントが完成することになる。
【００４１】
なお、露光処理部２での感光材料Ｐの搬送速度の変動は、露光処理に大きな影響を与えるため、露光処理部２の上流側の直近で感光材料Ｐを撓ませ、この感光材料Ｐの撓み代で露光処理部２の上流側での感光材料Ｐの搬送の速度変動を吸収するようにしている。
【００４２】
一方、停電が発生した場合には、図２に示す如く、停電前の一次電源の給電による当該露光処理装置の処理状態を損なうことなく、露光処理装置への給電系統が一次電源から非常用電源に瞬時に切り替わる（Ｓ１０）と同時に、停電直前における記憶保持した基本情報を抽出し（Ｓ２０）、該基本情報を基に露光処理部２での処理パターンが選択される。具体的には、基本情報として記憶された情報が、各オーダー間で画像の露光処理を行っていないとした情報である場合（Ｓ３０でＹＥＳ）には、第一処理パターンが選択（Ｓ４０）された後、感光材料Ｐの搬送が停止され（Ｓ５０）、露光処理を行うことなく切断装置４によって感光材料Ｐが切断される（Ｓ６０）。そして、切断された感光材料Ｐが装填マガジン１及び巻取マガジン３のそれぞれによって巻き取られた（Ｓ７０）後に、システムが正常にシャットダウンされる（ＥＮＤ）。
【００４３】
そして、基本情報がオーダー間でない場合には（Ｓ３０でＮＯ）、停電発生前からの露光処理部２による露光処理が続行されたまま、基本情報として記憶保持された画像の属するオーダー内の未露光処理の画像が何枚残っているかが算出される（Ｓ８０）。そして、該算出結果が第三処理パターンの設定枚数より多い場合（Ｓ９０でＹＥＳ）には、前記第二処理パターンが選択され（Ｓ１００）、該第二処理パターンの設定枚数に到達した時点（続行して露光処理を行っていた画像についての露光処理が完了した時点）（Ｓ１１０でＹＥＳ）で露光処理が停止（Ｓ１２０）されるとともに、感光材料Ｐの搬送が停止（Ｓ５０）される。そして、切断装置４によって感光材料Ｐが切断され（Ｓ６０）、切断された感光材料Ｐが装填マガジン１及び巻取マガジン３のそれぞれによって巻き取られた（Ｓ７０）後に、システムが正常にシャットダウンされる（ＥＮＤ）。なお、露光処理の状況が第二処理パターンの設定枚数（１枚）に到達（露光処理中の画像についての露光処理が完了）するまで（Ｓ１１０でＮＯ）露光処理は続行される。
【００４４】
そして、基本情報を基に算出した前記算出結果が第三処理パターンの設定枚数以下である場合（Ｓ９０でＮＯ）には、第三処理パターンが選択され（Ｓ１３０）、続行して露光処理していた画像、及び該画像の属するオーダーの全ての画像についての露光処理が完了した時点（Ｓ１４０でＹＥＳ）で露光処理が停止（Ｓ１２０）されるとともに、感光材料Ｐの搬送が停止（Ｓ５０）される。そして、切断装置４によって感光材料Ｐが切断され（Ｓ６０）、切断された感光材料Ｐが装填マガジン１及び巻取マガジン３のそれぞれによって巻き取られた（Ｓ７０）後に、システムが正常にシャットダウンされる（ＥＮＤ）。なお、露光処理の状況が第三処理パターンの設定枚数（停電発生時に露光処理していた画像の属するオーダーの未露光処理の画像の枚数）に到達するまで（Ｓ１４０でＮＯ）、露光処理は続行される。
【００４５】
そして、停電から回復して露光処理を再開させる際には、制御装置に記憶保持された基本情報を基に、シャットダウンまでに露光処理した画像を除いて続きの画像から露光処理が開始されることになる。つまり、停電時に第一処理パターン及び第三処理パターンが選択されてシャットダウンした場合には、次のオーダーの最初の画像から露光処理され、第二処理パターンが選択されてシャットダウンした場合には、最後に露光処理した画像の次の画像から露光処理が開始されることになる。なお、第二処理パターンが選択された場合、シャットダウンの前後で一つのオーダーの画像が二分することになるので、オーダー管理等の都合により不具合等が生じる場合には、基本情報として記憶した画像の属するオーダーの最初の画像から露光処理を開始するようにしてもよい。この場合、露光処理の再開をどのようなパターンにするかを選択できるようにしておくことが好ましい。
【００４６】
以上のように、上記実施形態にかかる露光処理装置は、通常時に露光処理部２での露光処理状況を基本情報として随時記憶保持し、非常用電源からの給電に切り替わった際（停電時）に、該基本情報に基づいて第一、第二、第三処理パターンの中から、感光材料Ｐのロス発生の少ない処理パターンを選択し、非常用電源からの給電により実行するようにしたので、非常用電源からの給電が尽きるまでに、停電回復時に露光処理の再開を円滑に行うことのできる状態（きりのよいところまで処理した状態）にして一連の処理を終了させ、システムを正常に終了（シャットダウン）させることができる。つまり、上記露光処理装置は、露光処理再開時に感光材料Ｐのロスが発生するような中途半端な状態で露光処理を終了させずに次工程の円滑な開始を考慮したものである。
【００４７】
また、第一、第二、第三処理パターンの実行、切断処理、及び巻取処理を非常用電源からの給電によって行ってから正常にシャットダウンするようにしたので、一連の処理を終了して非常用電源からの給電を停止しても、停電発生前の露光処理部２での処理状況を基本情報として記憶保持させることができ、停電が回復して露光処理を再開させるに際し、基本情報を有効に用いることができる。つまり、記憶保持された基本情報に基づいて露光処理を再開できるようにしたので、停電前に露光処理した画像と同一の画像を重複して露光処理することがないので、停電回復時における感光材料Ｐの無駄を抑えることができる。
【００４８】
また、選択された露光処理部２での露光処理の処理パターンの実行と同様に、非常用電源からの給電により、切断手段で感光材料Ｐを切断する切断処理と、切断された感光材料Ｐを装填マガジン１、及び巻取マガジン３で巻き取る巻取処理とを行うように構成されているので、停電が長時間続いても、感光材料Ｐが装填マガジン１、露光処理部２、巻取マガジン３の間に介在することがないので、感光材料Ｐの変質を防止することができ、また、感光材料Ｐがローラ対５（搬送系）で圧着されたまま放置されることがないので、感光材料Ｐに圧着痕がついてしまうといった事態になるのを防止することができる。
【００４９】
したがって、停電が回復して露光処理を再開するにあたって、装填マガジン１に巻き戻した感光材料Ｐをそのまま引き出して露光処理に使用することができ、感光材料Ｐのロスを抑えることができる。また、露光処理された感光材料Ｐについても完全に巻取マガジン３に巻き取られているので、露光処理の済んだ感光材料Ｐが無駄になって再度その画像に対しての露光処理を行うといった事態にならず、感光材料Ｐのロスを抑えることができる。
【００５０】
尚、本発明の露光処理装置は、上記実施形態に限定されるものではなく、本発明の要旨を逸脱しない範囲内において種々変更を加え得ることは勿論である。
【００５１】
上記実施形態において、複数の処理パターンとして第一、第二、及び第三処理パターンの三つを設定したが、該処理パターンは三つに限定されるものではなく、停電回復時に感光材料Ｐの無駄が発生したり、露光処理の円滑な再開を阻害したりすることのない処理パターンを二つ以上設定すればよい。
【００５２】
上記実施形態において、第一、第二、及び第三処理パターンを基本情報に基づいて自動的に選択するようにしたが、これに限定されるものではなく、例えば、基本情報をオペレータに報知する報知手段と、報知結果に基づいてオペレータが複数の処理パターンから何れか一つを手動で選択する選択手段とを設けるようにしてもよい。
【００５３】
また、上記実施形態において、選択された処理パターンを実行した後に、切断装置４による切断処理、装填マガジン１、及び巻取マガジン３による感光材料Ｐの巻取処理を行うようにしたが、これに限定されるものではなく、露光処理部２と切断装置４との間の搬送経路を、上記実施形態にかかる第三処理パターンの設定枚数の画像を露光処理するのに必要な長さの感光材料Ｐを介在させ得るように構成すれば、切断処理をして装填マガジン１、及び巻取マガジン３で感光材料Ｐを巻き取る際に、露光処理部２を通過する感光材料Ｐに対して、選択された処理パターンで露光処理するようにしてもよい。
【００５４】
また、上記実施形態において、各処理パターンは、停電発生から露光処理する画像の枚数（設定枚数）を処理の終了基準に設定したが、これに限定されるものではなく、例えば、終了基準を時間に設定してもよい。したがって、各処理パターンは、停電発生から異なる時間経過後に処理を終了するようにしてもよい。つまり、上記構成の露光処理装置は、露光処理への影響を極力抑えるように感光材料Ｐの搬送を略一定に保って行うようにしているので、終了基準を時間に設定しても上記実施形態と同様の作用、効果を奏することができる。この場合、基本情報として上記実施形態と同様に設定し、該基本情報に記憶された種々の状況に対応するように各処理パターンと関連づけるようにすればよい。
【００５５】
【発明の効果】
以上のように、本発明にかかる露光処理装置によれば、ロール状にされた長尺な感光材料を装填する装填マガジンと、該装填マガジンから引き出されて搬送される感光材料に対して複数の画像についての露光処理を行う露光処理部と、露光処理された感光材料をロール状に巻き取る巻取マガジンと、感光材料を搬送方向の上流側と下流側に切断する切断装置と、これらを制御する制御手段と、停電時に給電する非常用電源とを備えた露光処理装置において、前記装填マガジンは、感光材料を巻取り可能に構成され、制御手段は、露光処理部での露光処理の処理パターンが複数設定されるとともに、停電前の露光処理状況に基づいて前記複数の処理パターンから一つの処理パターンが選択可能に設定され、停電時に非常用電源からの給電で、選択された処理パターンの実行と、切断手段で感光材料を切断する切断処理と、切断された感光材料を装填マガジン、及び巻取マガジンで巻き取る巻取処理とを行うようにしたので、停電発生からの回復時に感光材料を無駄にすることなく、露光処理を円滑に再開することができる。
【図面の簡単な説明】
【図１】本発明の一実施形態にかかる露光処理装置の概略全体図を示す。
【図２】同実施形態の露光処理装置による停電時の処理フローチャートを示す。
【符号の説明】
１…装填マガジン、２…露光処理部、３…巻取マガジン、４…切断装置、５…ローラ対、６…ポンチ装置、７…軸体、８…カッター、９…ポンチ、Ｐ…感光材料
【図１】
2004348084.tif 000003
【図２】
2004348084.tif 000004